(57)【要約】【課題】  十分な収納量を確保し使い勝手のよい小屋裏収納部を備えて、小屋裏を有効に活用しうる木造軸組建物を提供する。【解決手段】  小屋裏収納部１０の周囲に配設される桁行方向Ａの小屋大梁３２ａは、軒桁２３から梁間方向Ｂへの後退距離ＳＢが１５００ｍｍ以下の範囲に配設される。桁行方向Ａの小屋大梁３２ａを挟んで、小屋裏収納部１０の床を受ける横架材は、軒桁２３に接続する横架材よりも下方であって、小屋大梁３２ａの下端寄りに接合される。小屋裏収納部１０の内壁は高さＨが、勾配ｔａｎθで傾斜する屋根面に対して、Ｈ≧ＳＢ・ｔａｎθの関係式を満たして設けられ、小屋裏収納部１０の床面は桁行方向Ａの小屋大梁３２ａの天端より下方に設けられる。【選択図】  図３
2016037736.tif 000002
【特許請求の範囲】
【請求項１】
棟木、母屋および軒桁を含む桁行方向の横架材に対して垂木が架け渡され、母屋を受ける小屋束が小屋梁に支持され、軒桁およびこれに類する梁材に囲まれて小屋構面が形成され、この小屋構面上に、天井高が１４００ｍｍ以下とされた小屋裏収納部を備える木造軸組建物であって、
小屋裏収納部は小屋梁またはこれに類する梁材に支持され、当該梁材には、小屋裏収納部から離隔した一般部に配設される小屋梁よりも梁せいの大きい小屋大梁が含まれ、
小屋裏収納部周りの桁行方向の小屋大梁は、軒桁から梁間方向への後退距離ＳＢが１５００ｍｍ以下の範囲に配設され、
小屋裏収納部の床を受ける横架材と、軒桁に接続する横架材とが、前記桁行方向の小屋大梁を挟んで、高さを違えて配設されるとともに、小屋裏収納部の床を受ける横架材はこの小屋大梁の下端寄りに接合されて、
小屋裏収納部における桁行方向の内壁は、その高さＨが、勾配ｔａｎθで傾斜する屋根面に対して、
Ｈ≧ＳＢ・ｔａｎθ
の関係式を満たして形成され、小屋裏収納部の床面が桁行方向の小屋大梁の天端より下方に設けられたことを特徴とする木造軸組建物。
【請求項２】
請求項１に記載の木造軸組建物において、
前記桁行方向の小屋大梁には、小屋裏収納部周りに配設される小屋束が接続され、小屋束の高さは７００〜９００ｍｍとされたことを特徴とする木造軸組建物。
【請求項３】
請求項１または２に記載の木造軸組建物において、
梁間方向に配設される小屋大梁には、小屋裏収納部の床を受ける横架材が当該小屋大梁の下端寄りに接合され、この横架材の天端は、梁間方向の小屋大梁の天端から１８０ｍｍ以上、下方に配設されたことを特徴とする木造軸組建物。
【請求項４】
請求項１〜３のいずれか一つの請求項に記載の木造軸組建物において、
桁行方向または梁間方向のいずれか一方の小屋大梁の一つに切欠部が形成され、この小屋大梁の切欠部に、小屋裏収納部へつながる階段が接続されたことを特徴とする木造軸組建物。
【発明の詳細な説明】
【技術分野】
【０００１】
本発明は、小屋裏収納部を有する木造軸組建物に関する。
【背景技術】
【０００２】
従来からの木造軸組工法では、土台の上に複数の柱が立設され、これらの柱の上に、桁などの複数の横架材が架け渡されるとともに、桁と直交するように、梁などの横架材が架け渡されて、主要構造部が構成されている。そして、この主要構造部の上に、小屋組と呼ばれる屋根架構が設けられている。
【０００３】
住宅等の建物においては、物品を収納したり保管したりする場所として、押入れ、ウォークインクローゼット、納戸等が設けられる。また、小屋組の屋内側に形成される小屋裏空間を利用して、小屋裏収納部が設けられることもある。例えば、特許文献１には、木造住宅の小屋裏が平均天井高１４００ｍｍ以上とされており、この小屋裏を納戸として利用することが開示されている。
【先行技術文献】
【特許文献】
【０００４】
【特許文献１】特開２０１３−１９４４１３号公報
【発明の概要】
【発明が解決しようとする課題】
【０００５】
敷地には都市計画に定められた用途地域があり、用途地域の種別に応じて建物の高さ等に制限が設けられている。例えば、隣地斜線制限によって、隣地に面する建物の高さを一定範囲に抑えることが求められ、道路斜線制限によって、道路に面する建物の高さを一定範囲に抑えることが求められる。敷地面積の小さい都市部の住宅地では、法定の容積率や建ぺい率の範囲内で敷地を有効利用しつつ建物を設計しなければならず、さらに道路や隣地等に面する側の屋根勾配や屋根形状にも制約を受けるものとなる。そのような厳しい設計条件の下では、特許文献１に開示されるよう小屋裏収納部を備えた住宅は、実現可能な状況とはならないものである。
【０００６】
上記のような事情から、都市部の狭小地で２階建住宅を建築するときは、限られた建築面積および延床面積の中で、実際には十分な大きさの収納部を設けることが難しい。そのため、小屋裏収納部を設けることで必要量の収納スペースを確保することへの要望が高まっている。
【０００７】
しかしながら、従来の小屋裏収納部にあっては、小屋裏に形成されたデッドスペースをそのまま利用したものに過ぎず、広さが不十分であったり、屋根勾配に沿って傾斜した天井面によって天井までの高さの低い部分が形成されたりして使い勝手が悪いという課題点があった。理論上、小屋組の高さを高くし、或いは屋根を急勾配とすることで、適当な広さや高さを有する小屋裏収納部を形成することは可能ではある。ところが、このような対応は、建物の高さを高くすることにつながり、建築コストを増加させる要因となるうえ、前述の高さ制限等による制約もあって、十分な収納量を備えて使い勝手のよい小屋裏収納部を形成することは困難なものであった。
【０００８】
本発明は、上記のような問題点にかんがみてなされたものであり、建物全体のボリュームの増大と建築コストの増加とを招くことなく、十分な収納量を確保し使い勝手のよい小屋裏収納部を設けることを可能にし、小屋裏を有効に活用することのできる木造軸組建物を提供することを目的としている。
【課題を解決するための手段】
【０００９】
前記の目的を達成するための本発明の解決手段は、棟木、母屋および軒桁を含む桁行方向の横架材に対して垂木が架け渡され、母屋を受ける小屋束が小屋梁に支持され、軒桁およびこれに類する梁材に囲まれて小屋構面が形成され、この小屋構面上に、天井高が１４００ｍｍ以下とされた小屋裏収納部を備える木造軸組建物を前提とする。この木造軸組建物に対し、小屋裏収納部を小屋梁またはこれに類する梁材に支持させ、当該梁材として、小屋裏収納部から離隔した一般部に配設する小屋梁よりも梁せいの大きい小屋大梁を含む構成とする。そして、小屋裏収納部周りの桁行方向の小屋大梁を、軒桁から梁間方向への後退距離ＳＢが１５００ｍｍ以下となる範囲に配設し、小屋裏収納部の床を受ける横架材と、軒桁に接続する横架材とを、前記桁行方向の小屋大梁を挟んで、高さを違えて配設するとともに、小屋裏収納部の床を受ける横架材をこの小屋大梁の下端寄りに接合する。また、小屋裏収納部における桁行方向の内壁を、その高さＨが、勾配ｔａｎθで傾斜する屋根面に対して、Ｈ≧ＳＢ・ｔａｎθの関係式を満たすように形成し、小屋裏収納部の床面を、桁行方向の小屋大梁の天端より下方に設けた構成としている。
【００１０】
この特定事項により、小屋裏収納部を形づくるための軸組構成を積極的に構築し得て、小屋裏収納部の床面を従来よりも下方に形成することが可能となる。このため、小屋組の高さを変えることなく、すなわち建物の高さを高くすることなく、小屋裏収納部の高さを最大限に確保することができ、さらに、小屋裏収納部の床面積を拡げることができる。その結果、建築コストを大きく増加させることなく、十分な収納量を確保した使い勝手のよい小屋裏収納部を備えた木造軸組建物とすることができる。
【００１１】
前記木造軸組建物における、より具体的な構成として次のものが挙げられる。すなわち、桁行方向の小屋大梁には、小屋裏収納部周りに配設する小屋束を接続し、その小屋束の高さを７００〜９００ｍｍの範囲とすることが好ましい。
【００１２】
これにより、小屋構面上に設ける小屋裏収納部として、実質的に天井高を１４００ｍｍ以下に抑えつつも、小屋束に沿って形成される小屋裏収納部の内壁の高さＨを前記関係式の範囲に確保することができる。したがって、小屋裏収納部に人が進入して物品の出し入れ等を行うための作業スペースを、小屋裏収納部の内壁の近傍においても十分に形成することができ、使い勝手がより一層高められる。
【００１３】
また、前記木造軸組建物において、梁間方向に配設する小屋大梁には、小屋裏収納部の床を受ける横架材を当該小屋大梁の下端寄りに接合し、その横架材の天端を、梁間方向の小屋大梁の天端から１８０ｍｍ以上、下方に配設することが好ましい。
【００１４】
これにより、小屋裏収納部の床を受ける床梁および根太等の横架材は、小屋大梁の天端よりも下方に配設され、小屋大梁の天端よりも下方に下げた床面を小屋裏収納部内に形成することができる。したがって、小屋組の高さを変えることなく、すなわち建物の高さを高くすることなく、小屋裏収納部の高さを最大限に確保することができるとともに、小屋裏収納部の床面積を拡げることが可能となる。
【００１５】
また、前記木造軸組建物においては、小屋裏収納部の周囲に配設される小屋大梁のうち、桁行方向または梁間方向のいずれか一方の小屋大梁の一つに切欠部を設け、この小屋大梁の切欠部に、小屋裏収納部へつながる階段を接続する構成とすることが好ましい。
【００１６】
これにより、小屋裏収納部とその下層階の居室とに連通する階段が設けられて、小屋裏収納部の使い勝手が向上する。また、小屋裏収納部の床面が下方に形成される分、設ける階段の段数を低減させることが可能となる。さらに、段数の少ない階段によって、小屋裏収納部と下層階の居室との間に空間的なつながりや一体感を形成することができる。
【発明の効果】
【００１７】
本発明では、小屋裏収納部の周囲に、一般部に配設する小屋梁よりも梁せいの大きい小屋大梁を配設し、桁行方向の小屋大梁を挟んで、小屋裏収納部の床を受ける横架材と、軒桁に接続する横架材とを、高さを違えて配設するとともに、小屋裏収納部の床を受ける横架材をこの小屋大梁の下端寄りに接合して、小屋裏収納部の床面を桁行方向の小屋大梁の天端より下方に設けるように構成している。このため、建物全体のボリュームを増大させることなく、広さおよび高さを十分に確保して使い勝手のよい小屋裏収納部を形成することが可能となり、狭小地にあっても建築コストを抑えつつ小屋裏を有効に活用することが可能となる。
【図面の簡単な説明】
【００１８】
【図１】本発明の第１実施形態に係る建物としての住宅を示す概略断面図である。
【図２】前記住宅の小屋伏図である。
【図３】図２のＸ−Ｘ断面における軸組図である。
【図４】前記住宅の小屋組を示す斜視図である。
【図５】前記住宅の小屋裏収納部を示す説明図である。
【図６】本発明の第２実施形態に係る建物としての住宅の軸組図である。
【図７】比較例としての住宅の軸組図である。
【発明を実施するための形態】
【００１９】
以下、本発明の実施形態について、図面を参照しつつ詳しく説明する。なお、以下の説明にあたって、同一構成要素については、共通の符号を付して示し、その説明を省略もしくは簡略化する。
【００２０】
図１〜図５は、本発明の第１実施形態に係る木造軸組建物としての住宅１を示し、図６は、本発明の第２実施形態に係る木造軸組建物としての住宅１を示している。また、図７は、本発明との比較例としての従来構造による住宅１を示している。
【００２１】
（第１実施形態）
本発明の第１実施形態について説明する。図１は住宅１の概略構成を示す断面図、図２は住宅１の小屋組の一部を示す小屋伏図、図３は図２のＸ−Ｘ断面における軸組図、図４は住宅１の小屋組を示す斜視図、図５は住宅１の小屋裏収納部１０を示す説明図である。
【００２２】
図１に示すように、一例としての住宅１は、基礎１１の上に建物本体１２が設けられ、上部が屋根１３で覆われた２階建住宅である。建物本体１２は、木造軸組工法により形成され、１階部分と２階部分に、居室、廊下、および水回り室などの種々の生活空間が設けられている。
【００２３】
図２および図３に示すように、屋根１３を支える小屋組は、棟木２１、母屋２２および軒桁２３を含む桁行方向Ａの横架材（水平材）に対して、斜め方向に傾斜して垂木２５が架け渡されて構成されている。また、母屋２２等を受ける複数の小屋束２６は、小屋梁３に接続され支持されている。小屋梁３は、軒桁２３または妻梁（外周梁）２４に接続されている。
【００２４】
軒桁２３、妻梁２４およびこれに類する梁材が住宅１の外周部に矩形に組まれ、小屋構面が形成されている。軒桁２３および妻梁２４は、柱（通し柱）６に支持されている。図２に示す形態では、小屋構面の妻側に、妻梁２４とこれに連続させて小屋梁３が設けられている。小屋構面の隅部には、方杖状に火打梁２７が備えられ、構面を固めている。
【００２５】
小屋構面上の一部には、小屋裏収納部１０が設けられている。小屋裏収納部１０は、天井高が内法寸法で最大１４００ｍｍの空間とされ、物品の保管や収納の用途に供される。
【００２６】
図２においては、破線により囲み示す区画に、小屋裏収納部１０が設けられる。この小屋裏収納部１０は、住宅１の妻側に面して配置されている。また、小屋裏収納部１０は、梁間方向Ｂには、棟木２１の下方を含む配置とされている。さらに、梁間方向Ｂの略中央部に位置するように小屋裏収納部１０は配置されている。
【００２７】
小屋構面の内側には、小屋梁３またはこれに類する梁材が架設されている。小屋梁３は、梁せいの異なる複数種類の小屋梁（小屋梁３１、および小屋大梁３２ａ、３２ｂ）を含んで構成されている。
【００２８】
住宅１において、小屋裏収納部１０は、矩形状に組まれた、妻梁２４、桁行方向Ａの小屋大梁３２ａ、および梁間方向Ｂの小屋大梁３２ｂにより、その周囲部が支持されている。妻梁２４および小屋大梁３２ａ、３２ｂは、小屋裏収納部１０から離隔した位置に配設されている一般部の小屋梁３１よりも梁せいが大きく形成されている。
【００２９】
例えば、一般部の小屋梁３１は２７０ｍｍ以下の梁せいとされているのに対して、小屋裏収納部１０の周囲に配設される小屋大梁３２ａ、３２ｂは、３００ｍｍを超える梁せいを有している。例示する小屋大梁３２ａ、３２ｂは、いずれも梁せいが３９０ｍｍとされている。また、妻梁２４は梁せいが４５０ｍｍとされている。軒桁２３は、せいが２１０〜２７０ｍｍとされている。
【００３０】
図３に示すように、桁行方向Ａの小屋大梁３２ａには、母屋２２等の横架材を受ける小屋束２６が接続されている。小屋束２６は、小屋大梁３２ａ上に立てられて、屋根１３を支える。屋根１３は、切妻屋根、寄棟屋根など各種の屋根形式により形成されている。
【００３１】
妻梁２４、桁行方向Ａの小屋大梁３２ａ、および梁間方向Ｂの小屋大梁３２ｂの内側には、小屋裏収納部１０の床を受ける横架材として、床梁５１と、複数の根太５２とが配設されている。
【００３２】
図２および図４に示すように、床梁５１は、妻梁２４と小屋大梁３２ｂとの間に架け渡されている。床梁５１は、際根太５３を介して妻梁２４および小屋大梁３２ｂに接合されることが好ましい。
【００３３】
根太５２は、桁行方向Ａの小屋大梁３２ａと床梁５１の間に架け渡され、根太５２同士は均等ピッチで配設されている。根太５２は、根太掛け５４等の横材を介して小屋大梁３２ａに接合されることが好ましい。
【００３４】
図５に示すように、小屋裏収納部１０周りでは、桁行方向Ａの小屋大梁３２ａを挟んで、小屋裏収納部１０の床を受ける根太５２等の横架材と、軒桁２３に接続する小屋梁３１等の横架材とが、高さを違えて配設されている。また、小屋裏収納部１０の床を受ける根太５２は、小屋大梁３２ａの下端寄りに接合されている。
【００３５】
具体的に、小屋梁３１は、その天端が軒桁２３の天端よりも上方に配設されて、桁行方向Ａの小屋大梁３２ａに接続されている。一方で、根太５２は軒桁２３に対しては、その天端が軒桁２３の天端よりも下方に配設されており、かつ、桁行方向Ａの小屋大梁３２ａの下端寄りに接合されている。
【００３６】
梁間方向Ｂに配設される小屋大梁３２ｂには、図４に示すように、小屋裏収納部１０の床を受ける床梁５１が、小屋大梁３２ｂの下端寄りに接合されている。また、妻梁２４に対しても、床梁５１が下端寄りに接合されている。これにより、根太５２および床梁５１に支持される小屋裏収納部１０の床は、小屋裏収納部１０の周囲を区画する小屋大梁３２ａ、３２ｂ、および妻梁２４の天端よりも下方に形成される。小屋裏収納部１０はこれらの床梁５１および根太５２の上に床下地、床板材等が張られて、床面が形成される。
【００３７】
ここで、比較例として図７に示す従来構造では、軒桁９１およびこれに類する梁材に囲まれて小屋構面が形成され、小屋構面内の桁行方向の小屋梁９２ａ、および梁間方向の小屋梁９２ｂは、いずれも同じ梁せいを有している。また、桁行方向の小屋梁９２ａに対して、軒桁９１に接続する梁間方向の小屋梁９２ｂと、小屋裏収納部９５の床を受ける床梁等の横架材９３とは、ほぼ等しい高さ位置に配設されている。これにより、これらの小屋梁９２ａ、９２ｂ、および横架材９３の天端は、ほぼ面一に揃えられている。
【００３８】
小屋裏収納部９５の床面は、必然的に小屋梁９２ａ、９２ｂの天端よりも上方に設けられることとなる。小屋裏収納部９５は、小屋束９４の内側に沿う内壁９６により区画され、一定の容積を有して形成される。しかしながら、この従来構造による小屋裏収納部９５は、内壁９６の高さが小屋束９４の高さよりも低くなり、十分な広さを備えず、隅部で人が物品の出し入れ等の作業を行うには窮屈なものとなっている。
【００３９】
なお、図３、図５および後述する図６において、小屋裏収納部１０の内側に２点鎖線で示すラインは、この従来構造による小屋裏収納部９５のアウトラインを示している。
【００４０】
本実施形態に係る住宅１では、小屋裏収納部１０の床は、小屋裏収納部１０の周囲を区画する小屋大梁３２ａ、３２ｂ、および妻梁２４の天端よりも下方に下げて設けられている。図５に示すように、小屋裏収納部１０では、例えば内壁１０１に沿って収納棚１０２を設置し、物品を収納したり保管したりするなどの使用形態が想定される。また、住宅１の屋根勾配から、小屋裏収納部１０内で床面と天井面との距離が小さくなるのが、内壁１０１に沿う隅部となる。したがって、内壁１０１に沿って形成される隅部が、人が物品の出し入れを行うのに窮屈な状態であると、使い勝手が極めて悪いものとなってしまう。
【００４１】
そこで、住宅１における小屋裏収納部１０では、内壁１０１に沿って形成される隅部の空間寸法を、人の動作寸法を考慮して構成している。すなわち、小屋裏収納部１０の隅部では、少なくとも、座り姿勢、またはかがみ姿勢によって、物品の収納作業等を行うことができる動作寸法を確保し、そのような収納作業等を行いやすい高さ（例えば１０００ｍｍ）を確保するように構成されている。
【００４２】
具体的には、小屋組における小屋裏収納部１０を支持するための桁行方向Ａの小屋大梁３２ａは、軒桁２３から梁間方向Ｂへの後退距離ＳＢが１５００ｍｍ以下の範囲である位置に配設されている。この桁行方向Ａの小屋大梁３２ａには、屋根荷重を受ける小屋束２６が接続されている。
【００４３】
ここで、住宅１の屋根１３の傾斜角をθ（度）とすると、屋根勾配はｔａｎθで表せる。小屋裏収納部１０の桁行方向Ａの内壁１０１は、ｔａｎθで傾斜する屋根面に対して、その高さＨ（ｍｍ）が、
Ｈ≧ＳＢ・ｔａｎθ
の関係式を満たすように設けられている。
【００４４】
すなわち、５寸勾配の屋根では、ｔａｎθ＝０．５となり、θ＝ｔａｎ-1０．５≒２６．５６５である。住宅１の屋根１３が５寸勾配であるとすれば、桁行方向Ａの小屋大梁３２ａの、軒桁２３から梁間方向Ｂへの後退距離ＳＢが１５００ｍｍであるとき、小屋裏収納部１０の内壁１０１は、高さＨが、ＳＢ・ｔａｎθ＝１５００×０．５＝７５０（ｍｍ）以上を有する構成とされている。
【００４５】
これにより、屋根勾配を大きく変えることなしに、小屋裏収納部１０の床面を、小屋大梁３２ａの天端よりも下方に形成するとともに、小屋裏収納部１０の内壁１０１を、従来よりも余裕を持たせた高さとすることができる。
【００４６】
小屋裏収納部１０の内壁１０１は、小屋裏収納部１０周りに立設された小屋束２６に沿って形成される。小屋組における小屋裏収納部１０を構成する区画の少なくとも四隅には、高さが７００〜９００ｍｍとされた小屋束２６が配設されている。
【００４７】
また、図４に示すように、床梁５１の天端は、梁間方向Ｂの小屋大梁３２ｂの天端より下方に配設されている。この場合、床梁５１の天端は、小屋大梁３２ｂの天端から１８０ｍｍ以上、下方に配設されている。また同様に、根太５２の天端は、桁行方向Ａの小屋大梁３２ａの天端から１８０ｍｍ以上、下方に配設されている。
【００４８】
このような構成とすることによって、座り姿勢、またはかがみ姿勢の人の高さｈを、小屋裏収納部１０の隅部に確保することができる。つまり、小屋裏収納部１０の隅部では、少なくとも、座り姿勢、またはかがみ姿勢によって物品の収納作業等をスムーズに行うことができる動作寸法が確保され、そのような収納作業等を行いやすい高さが確保されている。
【００４９】
また、小屋裏収納部１０の床面は、従来構造の小屋裏収納部９５の床面よりも下方に設けられる構成とすることができ、その分、天井高を１４００ｍｍまでの範囲で最大限に高く確保することができる。そのうえ、このように天井高を確保することができるので、小屋裏収納部１０を梁間方向Ｂに拡張することが可能となる。その結果、住宅１における小屋裏の限られた空間内で、最大限の容積を確保し、従来よりも床面積を拡げることが可能となる。小屋裏収納部１０は、全体として広さと高さとを十分に確保して形成されるので、使い勝手よく利用することが可能となる。
【００５０】
さらに、住宅１においては、小屋裏収納部１０の周囲の小屋大梁３２ａ、３２ｂのうち、桁行方向Ａまたは梁間方向Ｂのいずれか一方の小屋大梁３２ａ、３２ｂの一つに、切欠部が形成される。図２に示す例では、小屋大梁３２ｂに切欠部が設けられ、階段受梁２８が配設されている。階段受梁２８は、小屋大梁３２ｂよりも梁せいが小さく、小屋大梁３２ｂの梁せいが３９０ｍｍであるのに対し、２１０ｍｍの梁せいとされている。この階段受梁２８には、２階居室から小屋裏収納部１０へつながる固定階段が接続される。
【００５１】
小屋裏収納部１０への出入りには、従来一般の収納式はしご等を利用することも可能であるが、このように固定階段を設置することによって、小屋裏収納部１０の使い勝手をより一層高めることができる。
【００５２】
この場合、固定階段は、小屋裏収納部１０の床面が下方に形成される分、階段の段数を低減させることが可能となる。また、段数の少ない固定階段であることによって、小屋裏収納部１０と下層階の居室との間に空間的なつながりや一体感を形成することができる。
【００５３】
以上のように、住宅１においては、小屋組の高さを変えることなく、すなわち住宅１の建築高さを高くすることなく、小屋裏収納部１０の高さを最大限に確保し、その床面積を拡げることができる。このような小屋裏収納部１０を備える住宅１は、敷地面積を大きく確保することが難しい都市部の住宅に好適であり、限られた建築面積および床面積のもと、建築コストを増大させることなく、十分な収納スペースを確保することが可能となる。
【００５４】
（第２実施形態）
本発明の第２実施形態について説明する。図６は、本発明の第２実施形態に係る建物としての住宅を示す軸組図である。なお、この軸組図は、図３に示したのと同様に、図２のＸ−Ｘ断面における軸組図として示している。
【００５５】
図６に示す住宅１の小屋裏収納部１０は、第１実施形態における小屋裏収納部１０と同様、妻梁２４、桁行方向Ａの小屋大梁３２ａ、および梁間方向Ｂの小屋大梁３２ｂ等の横架材が矩形状に組まれ、その小屋構面上に支持されて形成されている。小屋裏収納部１０周りでは、桁行方向Ａの小屋大梁３２ａを挟んで、小屋裏収納部１０の床を受ける根太５２と、軒桁２９に接続する小屋梁３１とは、高さを違えて配設されている。小屋裏収納部１０の床を受ける根太５２は、小屋大梁３２ａの下端寄りに接合されている。
【００５６】
ここで、軒桁２９は、せいが、第１実施形態に示した軒桁２３よりも大きいものとされている。例えば、図３に示される軒桁２３は、そのせいが２７０ｍｍであるのに対し、図６に示される軒桁２９は、せいが４００ｍｍとされている。
【００５７】
住宅１の屋根１３を支える小屋組は、軒桁２９によって、第１実施形態で示した例よりも、垂木２５がより上方に支持される。このため、小屋裏収納部１０の天井高を１４００ｍｍまでの範囲で、より一層高く形成することができ、床面積をさらに拡張することが可能となる。図６において、小屋裏収納部１０は、２点鎖線により示す従来構造の小屋裏収納部９５よりも、格段に大きく形成されている。このように、住宅１の小屋裏収納部１０においては、限られた建築面積および床面積のもとで、十分な大きさを確保することが可能となり、従来よりも使い勝手を向上させて、物品の保管や収納の用途に好適に利用することができる。
【００５８】
（他の実施形態）
本発明に係る木造軸組建物としての住宅１は、前記の実施形態以外にも他の様々な形で実施することができる。例えば、小屋裏収納部１０は、軒桁２３、妻梁２４およびこれに類する梁材が矩形に組まれて構成される小屋構面上の、いずれの箇所に配置されてもよい。したがって、小屋裏収納部１０は、妻梁２４、桁行方向Ａの小屋大梁３２ａ、および梁間方向Ｂの小屋大梁３２ｂにより囲まれて支持されるに限らず、小屋構面に設けられて小屋梁３またはこれに類する梁材に支持された構成であれば、どのように形成されてもよい。また、小屋裏収納部１０の平面形状も、前記のように矩形状であるに限らず、入隅部を有する略Ｌ字状の平面形状であっても、雁行形の平面形状であってもよい。このような小屋裏収納部１０の平面形状に合わせて、小屋裏収納部１０内に小屋束２６が設けられてもよく、小屋構面を構成する床梁５１に小屋束２６を立設することができる。小屋裏収納部１０へつながる固定階段は、前記のように小屋大梁３２ｂに接続して設けられるに限らず、小屋裏収納部１０のいずれの箇所に設けられてもよい。
【００５９】
また、小屋組を構成する各部材の配設形態や寸法等も、前記の実施形態に限定されるものではない。桁行方向Ａの小屋大梁３２ａを挟んで高さを違えて配設される、小屋裏収納部１０の床を受ける横架材と、軒桁２３、２９に接続する横架材とは、前記の実施形態のものに限らず、小屋組の架構形態により他の種類の横架材とされることも可能である。そのため、前記の実施形態は例示であり、限定的なものではない。
【００６０】
また、住宅１における屋根形式は、切妻屋根に限られず、寄棟屋根、片流れ屋根など多様な屋根形式を採用することができる。屋根勾配は、５寸勾配、６寸勾配等に限定されず、どのような勾配の屋根に対しても本発明を好適に実施することが可能である。
【産業上の利用可能性】
【００６１】
本発明は、小屋裏部に収納空間を有する木造軸組建物として好適に利用可能である。
【符号の説明】
【００６２】
１    住宅
１１  基礎
１２  建物本体
１３  屋根
２１  棟木
２２  母屋
２３、２９  軒桁
２４  妻梁（外周梁）
２５  垂木
２６  小屋束
２７  火打梁
２８  階段受梁
３    小屋梁
３１  小屋梁（一般部）
３２ａ、３２ｂ  小屋大梁
５１  床梁
５２  根太
５３  際根太
５４  根太掛け
６    柱
１０    小屋裏収納部
１０１  内壁
１０２  収納棚
【図１】
2016037736.tif 000003
【図２】
2016037736.tif 000004
【図３】
2016037736.tif 000005
【図４】
2016037736.tif 000006
【図５】
2016037736.tif 000007
【図６】
2016037736.tif 000008
【図７】
2016037736.tif 000009